(57)【要約】【課題】  取付け金具の取付け、ひいては雪止め具、屋根材の取付けにあって物差しなどを別途携帯することなく行う。【解決手段】  屋根下地材３に固定する固定部材10と、この固定部材10に接続される雪止め具８の取付け受け部11とを備える。固定部材10は細長形状であって、その長さ方向に長さ目盛り表示部14を、複数間隔をおいて設ける。取付け金具９、ひいては雪止め具８の取付け位置を複数ある長さ目盛り表示部14のいずれか１つを利用して棟側屋根部材２Ａに対して所定位置となるように配置することができる。  また、前記実施例では請求項２に対応してことによって、位置決めすることで、位置決めのための長さＬの調節を簡単に行うことができる。位置決めのための長さＬの調節を簡単に行うことができる。【選択図】図１
0003114342.tif 000002
【実用新案登録請求の範囲】
【請求項１】
屋根材又は屋根下地材に固定する固定部材と、この固定部材に接続される雪止め具の取付け受け部とを備え、前記固定部材に長さ目盛り表示部を設けたことを特徴とする雪止め具の取付け金具。
【請求項２】
前記固定部材は細長形状であって、その長さ方向に前記長さ目盛り表示部を間隔をおいて複数設けたことを特徴とする請求項１記載の雪止め具の取付け金具。
【請求項３】
前記固定部材の上面に前記長さ目盛り表示部を設けたことを特徴とする請求項１又は２記載の雪止め具の取付け金具。
【請求項４】
前記固定部材の一端に前記取付け受け部を設け、前記固定部材の他端に固定手段を設けると共に、前記固定部材の中間部に前記長さ目盛り表示部を設けたことを特徴とする請求項１〜３のいずれか１項に記載の雪止め具の取付け金具。
【請求項５】
前記長さ目盛り表示部が前記固定部材に設けた刻設部により形成されることを特徴とする請求項１〜４のいずれか１項に記載の雪止め具の取付け金具。
【考案の詳細な説明】
【技術分野】
【０００１】
本考案は、雪止め用アングル等の雪止め用金具を屋根に固定するための雪止め具取付け金具に関するものである。
【背景技術】
【０００２】
従来、この種のものとして屋根に固定された固定部材と、屋根の軒先側に固定した雪止め具とを連結固定するものであって、固定部材には貫通孔が設けられ、この貫通孔を通した釘によって固定部材は屋根材に固定されるようになっている（例えば、特許文献１）。
【特許文献１】実開平７−１０１７１公報
【考案の開示】
【考案が解決しようとする課題】
【０００３】
ところで、金属製屋根板や瓦等の屋根材は屋根下地材の上面に固定されるものであり、その敷設は一般的に軒側より棟側にかけて順次行う。その際には雪止め具が軒側に取付け金具を介して固定されるものである。このような取付け金具や屋根材の取付けにあって両者の位置関係を定める際、測定にあっては直定規や巻き尺などを利用していた。
【０００４】
しかしながら、このような直定規や巻き尺などの物差しを利用した取付け金具の取り付け、ひいては雪止め具、屋根材の取付けにあっては物差しを別途携帯して使用しなければならず作業が煩雑であった。
【０００５】
解決しようとする問題点は、屋根材又は屋根下地材に固定する固定部材と、この固定部材に接続される雪止め具の取付け受け部とを備えた雪止め具の取付け金具において、取付け金具の取付け、ひいては雪止め具、屋根材の取付けにあって物差しなどを別途携帯することなく行うことができる点である。
【課題を解決するための手段】
【０００６】
請求項１の考案は、屋根材又は屋根下地材に固定する固定部材と、この固定部材に接続される雪止め具の取付け受け部とを備え、前記固定部材に長さ目盛り表示部を設けたことを特徴とする雪止め具の取付け金具である。
【０００７】
請求項２の考案は、前記固定部材は細長形状であって、その長さ方向に前記長さ目盛り表示部を間隔をおいて複数設けたことを特徴とする請求項１記載の雪止め具の取付け金具である。
【０００８】
請求項３の考案は、前記固定部材の上面に前記長さ目盛り表示部を設けたことを特徴とする請求項１又は２記載の雪止め具の取付け金具である。
【０００９】
請求項４の考案は、前記固定部材の一端に前記取付け受け部を設け、前記固定部材の他端に固定手段を設けると共に、前記固定部材の中間部に前記長さ目盛り表示部を設けたことを特徴とする請求項１〜３のいずれか１項に記載の雪止め具の取付け金具である。
【００１０】
請求項５の考案は、前記長さ目盛り表示部が前記固定部材に設けた刻設部により形成されることを特徴とする請求項１〜４のいずれか１項に記載の雪止め具の取付け金具である。
【考案の効果】
【００１１】
請求項１の考案によれば、取付け金具の取付け位置を長さ目盛り表示部を利用し、所定位置となるように配置することができる。
【００１２】
請求項２の考案によれば、複数ある長さ目盛り表示部のいずれか１つを利用して位置決めすることで、位置調節を簡単に行うことができる。
【００１３】
請求項３の考案によれば、上方より長さ目盛り表示部を視認することで、長さ目盛り表示部と屋根部剤の縁とを容易に一致して設定することができる。
【００１４】
請求項４の考案によれば、長さ目盛り表示部を固定手段によって阻害されることはなく表示することができる。
【００１５】
請求項５の考案によれば、長さ目盛り表示部を明確にしかも確実に表示することができる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜図３は実施例１を示しており、建築物の屋根１においては板状の金属製の屋根材２が屋根下地材３の上面に敷設されており、この屋根材２は軒４側より棟５側に順次敷設することにより軒４側の屋根材２における棟側縁６の上面に、棟５側の屋根材２Ｂにおける軒側縁７が載置するようになっている。屋根１の軒４側に該軒４と平行に断面逆Ｌ字型のアングルよりなる比較的長尺な雪止め具８を、取付け金具９を介して固定する。
【００１８】
前記取付け金具９は、屋根１に固定する固定部材10と雪止め具８を固定する取付け受け部11とを備えており、固定部材10は断面が矩形で細長形状の金属材料からなり、固定部材10の一端、すなわち軒４側に取付け受け部11を設け、他端、すなわち棟５側には固定手段たる釘12が打ち付け可能な上下方向の貫通孔13を形成しており、さらに取付け受け部11と貫通孔13との中間部の上面10Ａには長さ目盛り表示部14が設けられている。この長さ目盛り表示部14は、固定部材10の上面10Ａに金型（図示せず）を、通常はプレス装置を介して押し当てて凹状に刻設した刻設部14Ｋによって形成されるものであり、一端側から他端側にかけて所定の間隔、例えば１ｃｍや１．５ｃｍあるいは３ｃｍなど所定の間隔Ａで複数形成する。
【００１９】
前記取付け受け部11は、固定部材10を延長する共に、その延長部を上方へ折り返して固定部材10と平行な横向き部15、この横向き部15の先端に固定部材10側に向けて連設する縦向き部16とを備え、横向き部15と縦向き部16に雪止め具８のＬ字型内面が係合するようになっている。尚、横向き部15と縦向き部16には断面逆Ｌ字型の押さえ金具17が対向して設けられており、この押さえ金具17はボルト・ナット18によって固定できるようになっている。
【００２０】
次に前記構成についてその作用を説明する。軒４側より屋根材２を屋根下地材３の上面に順次敷設する。その途中に取付け金具９を固定する。この取付け金具９の取付けは、取付け受け部11を、既に屋根下地材３に固定した軒側屋根部材２Ａ上に配置すると共に、貫通孔13を通した釘12を介して固定部10を屋根下地材３に直接固定する。この際屋根１に対する取付け金具９の位置、ひいては雪止め具８を所定位置に配置するため、例えば固定部材10にある所定の長さ目盛り表示部14Ａを軒側屋根部材２Ａの棟側縁６に位置合わせする。すなわち長さ目盛り表示部14を利用して棟側縁６からの固定部材10の突出長さＬを測定、設定することができる。そしてこの取付け金具９の固定部材10を屋根下地材３に孔13を通した釘12によって直接固定する。このようにして取付け金具９を所定位置に固定した後、軒側屋根部材２Ａの棟４側に棟側屋根部材２Ｂを屋根下地材３に配置する。この棟側屋根部材２Ｂの固定にあっては、棟側屋根部材２Ｂの軒側縁７は固定部材10の一部を覆うように固定される。
【００２１】
次に横向き部15と縦向き部16に雪止め具８のＬ字型内面を係合し、さらにこの雪止め具８の外側から押さえ金具17を係合させ、さらにボルト・ナット18によって押さえ金具17を固定することによって、雪止め具８は取付け受け部10と押さえ金具17に挟まれて固定状態となる。
【００２２】
以上のように、前記実施例では請求項１に対応して屋根下地材３に固定する固定部材10と、この固定部材10に接続される雪止め具８の取付け受け部11とを備え、前記固定部材に長さ目盛り表示部14を設けたことにより、取付け金具９、ひいては雪止め具８の取付け位置を長さ目盛り表示部14を利用し棟側屋根部材２Ａに対して所定位置となるように配置することができる。
【００２３】
また、前記実施例では請求項２に対応して前記固定部材10は細長形状であって、その長さ方向に前記長さ目盛り表示部14を、複数間隔をおいて設けたことによって、複数ある長さ目盛り表示部14のいずれか１つを利用して位置決めすることで、位置決めのための長さＬの調節を簡単に行うことができる。
【００２４】
さらに、前記実施例では請求項３に対応して前記固定部材10の上面10Ａに前記長さ目盛り表示部14を設けたことで、上方より長さ目盛り表示部14を視認して、長さ目盛り表示部14と棟側縁６とを容易に一致することができる。
【００２５】
また、前記実施例では請求項４に対応して前記固定部材10の一端に前記取付け受け部９を設け、前記固定部材10の他端に固定手段たる釘12用の貫通孔13を設けると共に、前記固定部材10の中間部に前記長さ目盛り表示部14を設けたことによって、長さ目盛り表示部14の表示を貫通孔13によって阻害されることはなく、長さ目盛り表示部14の視認性を向上できる。
【００２６】
さらに、前記実施例では請求項５に対応して前記長さ目盛り表示部14が前記固定部材10に刻設した刻設部14Ｋにより直接形成されることによって、塗装や印刷シールの貼り付けなどによるものと比較して目盛が不鮮明になったり或いはずれたりするようなことはなく、明確にしかも確実に表示を行うことができる。
【産業上の利用可能性】
【００２７】
以上のように本考案にかかる取り付け金具は、各種の雪止め具に適用できる。実施例では屋根下地材に固定部材を固定したものを説明したが、屋根材に固定部材を固定して雪止め具を屋根に固定してもよく、さらに固定手段は釘以外にビスや接着剤或いは金属や樹脂製などの線材でもよい。
【図面の簡単な説明】
【００２８】
【図１】本考案の実施例１を示す斜視図である。
【図２】本考案の実施例１を示す一部を拡大した正面図である。
【図３】本考案の実施例１を示す一部を拡大した平面図である。
【符号の説明】
【００２９】
２  屋根部材
３  屋根下地材
８  雪止め具
10  固定部材
10Ａ  上面
11  取付け受け部
12  釘（固定手段）
14  長さ目盛り表示部
14Ｋ  刻設部
【図１】
0003114342.tif 000003
【図２】
0003114342.tif 000004
【図３】
0003114342.tif 000005